(57)【特許請求の範囲】
【請求項１】
機器本体と、この機器本体を遠隔操作する複数の遠隔操作部とを具備するとともに、
これらの遠隔操作部は、それぞれ時刻発生部と、前記時刻発生部の発生時刻を設定する操作部と、時刻表示部と、を備え、
予め設定された時刻になると前記機器本体が所定のタイマー制御を行う機器の制御システムにおいて、
前記遠隔操作部は、前記複数の時刻発生部の発生時刻の中から、有効な時刻を選択する時刻選択手段を備え、
前記遠隔操作部は、前記操作部が操作された場合、前記時刻選択手段によりその時刻発生部の発生時刻を有効なものとして選択し、この有効な時刻を送信することを特徴とする機器の制御システム。
【請求項２】
選択されていない時刻発生部の発生時刻を、選択された時刻発生部の発生時刻に一致させる時刻合わせ手段を設けたことを特徴とする請求項１記載の機器の制御システム。
【発明の詳細な説明】
【０００１】
【発明の属する技術分野】
本発明は、複数の時刻発生部と、時刻表示部と、を備えるとともに、予め設定された時刻になると所定のタイマー制御を行う機器の制御システムに関する。
【０００２】
【従来の技術】
従来、時刻発生部と時刻表示部を備え、予め設定された時刻になると所定の制御を行う機器の制御システムは、特開６−６２４７５に示されるように公知であった。
【０００３】
【発明が解決しようとする課題】
しかしながら、この従来のものは、リモコンと本体に各々時計計時手段を備え、リモコン側から本体側へ時刻を一方的に送出することにより、本体側の時刻を変更するものであったため、以下に示す問題を有していた。
【０００４】
すなわち、リモコン側の時刻が正常でなくなった場合、本体側の時刻が正常であったとしても、自動的に双方の時刻が正常でなくなってしまうため、ユーザーの時刻設定操作により正常に戻す必要があった。
また、この従来のものにおいては、ユーザーの時刻設定操作は、リモコン側からしかできず、本体側からは操作することができなかった。
【０００５】
本発明は、複数の時刻発生部と、時刻表示部と、を備えるとともに、予め設定された時刻になると所定のタイマー制御を行う機器の制御システムにおいて、タイマー制御を行う時刻と表示時刻の不一致に伴うユーザーの混乱を防止するとともに、時刻発生部の発生時刻が正常でなくなった場合における、ユーザーの操作性を向上することを目的とするものである。
【０００６】
【課題を解決するための手段およびその作用・効果】
本発明に従う機器の制御システムは、複数の時刻発生部の発生時刻の中から、有効な時刻を選択する時刻選択手段を設けることにより、一方の時刻が正常でなく、他方が正常の場合、正常な側の時刻が正常でない側の時刻によって消失させられることがなく、有効な時刻として保持されるため、ユーザーによる不要な時刻合わせ操作がなくなる。
さらに、この有効な時刻を、時刻表示部の表示時刻およびタイマー制御に用いる時刻制御手段を設けることにより、表示時刻とタイマー制御用時刻の不一致によるユーザーの混乱を防止できる。
【０００７】
また、本発明に従う機器の制御システムは、操作部および時刻表示部を、時刻発生部に対応して複数設けるとともに、時刻選択手段を、操作部が操作された場合、その時刻発生部の発生時刻を有効なものとして選択するよう構成することにより、任意の操作部でその時刻発生部の時刻を設定すれば、他の時刻発生部の時刻も自動的に合わせることができるため、ユーザーが時刻設定を行う際の操作性が向上する。
【０００８】
また、時刻発生部、時刻表示部、操作部を、機器本体を遠隔操作する複数の遠隔操作部に各々設けた機器の制御システムでは、遠隔操作部は、互いに離れた距離に配置されることが多いため、もし一方の遠隔操作部からしか時刻設定できないのであれば、時刻設定の度にその遠隔操作部の所までわざわざ移動しなければならないが、本発明では、何れの遠隔操作部からでも時刻設定できるため、このような不具合が解消する。
【０００９】
本発明に従う機器の制御システムは、また、選択中の時刻が、停電等によりリセットされ、正常でなくなったような場合、他の時刻発生部の時刻が正常であれば、この時刻を新たに選択することにより、ユーザーによる時刻設定操作を省略することができる。
尚、発生時刻が正常であるか否か判断については、停電発生の有無、時刻がリセットされたか否か（ｅｘ．リセット時に、００：００となる仕様の場合）、時刻データがあるか否か（ｅｘ．停電後に、ーー：ーーとなる仕様の場合）等に基づく判断の他、時刻発生部を３つ以上有する場合には、多数決等の合議により決定するようにしてもよい。
【００１０】
また、本発明に従う機器の制御システムは、有効とされた時刻発生部が、システムから切り離された場合でも、残る時刻発生部の時刻が有効な時刻と同一であるため、切り離しに伴い、タイマー制御ができなくなったり、表示時刻が急変したりすることはない。
【００１１】
【発明の実施の形態】
以下、本発明が適用される機器の制御システムの一実施形態として、給湯装置を例にとって説明する。
【０００１２】
図１は給湯装置の全体構成図であり、給湯機本体１と、給湯機本体１に水を供給する給水管２と、給湯機本体１から湯を導出する給湯管３と、給湯管３から各々分岐した浴室シャワー水栓４、台所水栓５と、浴室シャワー水栓４に近接して設けられた浴室リモコン６、台所水栓５に近接して設けられた台所リモコン７と、浴室リモコン６及び台所リモコン７と給湯機本体１間での信号伝達を行うためのリモコン線８と、が示されている。
【００１３】
各リモコン６、７には、給湯機本体１に設定温度等の制御信号を送出するための制御用ＳＷ（図示せず）と、時刻設定モードの入切切替用ＳＷ９と、時刻設定用ＳＷ１０と、各種情報を表示する表示部１１と、時刻発生部を内蔵するマイクロコンピュータ１２と、が備えられており、時刻設定用ＳＷ１０は、アップＳＷ１０ａと、ダウンＳＷ１０ｂと、により構成され、表示部１１は、設定温度を表示する温度表示部１１ａと、時刻表示部１１ｂと、により構成される。
また、各リモコン６、７は、図示しないタイマー制御用の時刻予約ＳＷを備えており、この時刻予約ＳＷ操作による予約時刻を給湯機本体１に送信するよう構成される。
【００１４】
給湯機本体１には、各リモコン６、７から送信される制御信号に応じて各種負荷を制御するとともに、各リモコン６、７から送信される予約時刻及び時刻情報に応じて各種負荷をタイマー制御する制御装置１３が備えられている。
【００１５】
以上のような構成の給湯装置の時刻に関する制御について、順を追って説明する。
【００１６】
図２は、浴室リモコン６の時刻表示および時刻情報の送信に関するフローを示しており、まず、台所リモコンが接続されているか（Ｓ１）、接続された台所リモコン７が時刻発生部を有しているか（Ｓ２）、確認し、時刻発生部を有する台所リモコン７が接続されていない場合は、時刻設定モードの入切切替用ＳＷ９および時刻設定用ＳＷ１０の操作（以下、時刻設定操作と呼ぶ）が有れば、操作内容に応じて発生時刻を変更し（Ｓ３）、給湯器本体１の制御装置１３へ発生時刻を送信した後（Ｓ４）、発生時刻を表示し（Ｓ５）、処理を終了する。
一方、時刻発生部を有する台所リモコン７が接続されている場合には、後述するサブルーチンを実行し（Ｓ６）、Ｓ５に進む。
【００１７】
このような処理を行う理由は、浴室リモコン６と台所リモコン７が共に時刻発生部を有する場合には、各種条件に基づき何れの発生時刻を用いるか決定する必要があるが、台所リモコン７が接続されていない場合又は時刻発生部を有しない台所リモコン７が接続されている場合には、このような必要がないからである。
【００１８】
続いて、時刻発生部を有する台所リモコン７が接続されている場合に実行される、浴室リモコン６のサブルーチン（Ｓ６）について、図３を用いて説明する。
【００１９】
まず、浴室リモコン６側の時刻設定操作がなされた後の所定時間内か否か確認し（Ｓ７）、所定時間内でなければ、台所リモコン７からの送信時刻が有るか確認し（Ｓ８）、送信時刻がなければ、電源投入後時刻設定がなされたか確認し（Ｓ９）、時刻設定がなされていれば、発生時刻を台所リモコン７および給湯器本体１の制御装置１３へ送信し（Ｓ１０）、時刻設定がなされていなければ処理を終了する。
【００２０】
以上の処理は、浴室リモコン６は時刻設定済だが、台所リモコン７が時刻未設定の場合は、浴室リモコン６からの送信時刻に合わせて台所リモコン７の発生時刻を設定し、浴室リモコン６、台所リモコン７共に時刻未設定の場合は、発生時刻送信による時刻合わせは行わないことを示している。
そして、浴室リモコン６、台所リモコン７共に時刻未設定の場合には、前述したＳ５において、”ーー：ーー”等の無意味な内容が表示される。
【００２１】
一方、Ｓ８において、台所リモコン７からの送信時刻が有ることを確認した場合には、この送信時刻に合わせて自らの発生時刻を設定し（Ｓ１１）、処理を終了する。
これは、浴室リモコン６が時刻設定済か否かに関わらず、台所リモコン７が時刻設定済の場合は、台所リモコン７からの送信時刻に合わせて浴室リモコン６側の発生時刻を設定することを示している。
【００２２】
また、Ｓ７において、時刻設定操作後所定時間内であることを確認した場合には、操作内容に応じて発生時刻を設定し（Ｓ１２）、時刻設定操作中であることを台所リモコン７に送信した後（Ｓ１３）、Ｓ１０に進んで発生時刻を送信する。
尚、台所リモコン７では、後述するように、浴室リモコン６が時刻設定操作中である旨を受信すると、浴室リモコン６からの送信時刻に合わせて発生時刻を設定する。
【００２３】
この処理は、台所リモコン７が時刻設定済か否かに関わらず、浴室リモコン６が時刻設定操作中は、浴室リモコン６からの送信時刻に合わせて台所リモコン７の発生時刻を設定することを示している。
すなわち、このような処理を行うことによって、浴室リモコン６にて行った時刻設定が、台所リモコン７から送信される発生時刻によって消失することを防止するものである。
【００２４】
次に、図４は、台所リモコン７の時刻表示および時刻情報の送信に関するフローを示しており、まず、時刻設定操作がなされたか確認し（Ｓ１４）、操作がなければ、浴室リモコン６が時刻設定操作中であるか確認し（Ｓ１５）、時刻設定操作中でなければ、電源投入後の時刻設定がなされたか確認し（Ｓ１６）、電源投入後の時刻設定がなければ、浴室リモコン６からの送信時刻が有るか確認し（Ｓ１７）、送信時刻が有れば、この送信時刻に合わせて自らの発生時刻を設定した後（Ｓ１８）、発生時刻を表示して（Ｓ１９）、処理を終了し、浴室リモコン６からの送信時刻がなければ、Ｓ１９に進んで発生時刻を表示する。
【００２５】
以上の処理は、浴室リモコン６は時刻設定済だが、台所リモコン７が時刻未設定の場合は、浴室リモコン６からの送信時刻に合わせて台所リモコン７の発生時刻を設定し、浴室リモコン６、台所リモコン７共に時刻未設定の場合は、発生時刻送信による時刻合わせは行わないことを示している。
尚、後者の場合のＳ１９の表示内容は、浴室リモコン６のＳ９後の処理で説明したものと同様である。
【００２６】
一方、Ｓ１６において、電源投入後時刻設定が有った場合には、発生時刻を浴室リモコン６および給湯器本体１の制御装置１３へ送信した（Ｓ２０）後、Ｓ１９に進んで発生時刻を表示する。
これは、台所リモコン７が時刻設定済の場合は、浴室リモコン６が時刻設定済であるか否かに関わらず、台所リモコン７からの送信時刻に合わせて浴室リモコン６側の発生時刻を設定すること、すなわち、定常状態においては、浴室リモコン６よりも台所リモコン７の発生時刻の方を優先することを示している。
【００２７】
さらに、Ｓ１５において、浴室リモコン６が時刻設定操作中である場合には、Ｓ１８に進んで浴室リモコンの送信時刻に合わせて自らの発生時刻を設定するが、このようにした理由は、浴室リモコン６のＳ１３で説明したのと同様である。
【００２８】
また、Ｓ１４において、時刻設定操作が有った場合は、操作内容に合わせて発生時刻を設定した（Ｓ２１）後、Ｓ２０に進んで発生時刻を浴室リモコン６および給湯器本体１の制御装置１３へ送信する。
【００２９】
次に、給湯器本体１の制御装置１３のフローについて、図５を用いて説明する。
【００３０】
まず、台所リモコン７からの送信時刻が有るか確認し（Ｓ２２）、送信時刻が有れば、この送信時刻に合わせてタイマー制御し（Ｓ２３）、台所リモコン７からの送信時刻がなければ、浴室リモコン６からの送信時刻が有るか確認し（Ｓ２４）、送信時刻が有れば、この送信時刻に合わせてタイマー制御する（Ｓ２５）。
一方、浴室リモコン６、台所リモコン７の何れからも送信時刻がない場合には、タイマー制御を行うことができないため、処理を終了する。
【００３１】
以上、浴室リモコン６、台所リモコン７に各々時刻発生部を有するものを説明してきたが、浴室リモコン６、台所リモコン７の他に洗面所リモコンにも時刻発生部を有するものや、給湯器本体に時刻発生部を有するものにも適用できることは言うまでもない。
【図面の簡単な説明】
【図１】本発明が適用される給湯装置の一実施形態の全体構成図
【図２】同実施形態における浴室リモコンのフローチャート
【図３】同実施形態における浴室リモコンのサブルーチン
【図４】同実施形態における台所リモコンのフローチャート
【図５】同実施形態における本体制御装置のフローチャート
【符号の説明】
１      給湯機本体
６      浴室リモコン
７      台所リモコン
１０    時刻設定用ＳＷ
１１ｂ  時刻表示部
１２    時刻発生部
１３    制御装置
【図１】
0003601633.tif 000002
【図２】
0003601633.tif 000003
【図３】
0003601633.tif 000004
【図４】
0003601633.tif 000005
【図５】
0003601633.tif 000006